(57)【要約】      （修正有）【課題】コンピュータが携帯電話を介して、サーバからファイルを取得するときの利用者の負担を軽減する。【解決手段】無線通信モジュールにより、定期的にサーバ３００との間の通信路を確立させる通信制御部１２１と、通信路が確立されると通信制御部１２１に指示して、サーバ３００に格納されているファイル及びディレクトリ情報を取得させ、これらをメモリ１３０，１４０に格納するデータ受送信指示部１２３と、コンピュータ２００に接続されると、コンピュータ２００に対して自身が記憶装置である旨を通知し、メモリ１３０，１４０に格納されているディレクトリ情報をコンピュータに提示し、コンピュータからディレクトリ情報に含まれているファイルの指定を受け付けると、ディレクトリ情報を参照して、メモリからファイルを読み出し、このファイルをコンピュータに送るエミネート部１２４と、を備えている。【選択図】図１
2009128980.tif 000002
【特許請求の範囲】
【請求項１】
コンピュータに接続されて、該コンピュータと外部との間のデータ通信を行う通信手段を備えている通信装置において、
予め定められた条件を満たす毎に、前記通信手段により、通信先として予め定められた記憶装置との間の通信路を確立させる通信制御手段と、
前記記憶装置との間の通信路が確立されると、前記通信制御手段に指示して前記通信手段により、該記憶装置に格納されている１以上のファイル及び該１以上のファイルに関するディレクトリ情報を取得させ、これらを記憶領域に格納するデータ受送信指示手段と、
前記コンピュータに接続されると、該コンピュータに対して自身が記憶装置である旨を通知して、自身が記憶装置であると認識させ、前記記憶領域に格納されている前記ディレクトリ情報を該コンピュータに提示し、該コンピュータから該ディレクトリ情報に含まれているファイルの指定を受け付けると、該ディレクトリ情報を参照して該ファイルが格納されている該記憶領域から該ファイルを読み出して、該ファイルを該コンピュータに送る擬似記憶装置手段と、
を備えていることを特徴とする通信装置。
【請求項２】
請求項１に記載の通信装置において、
前記データ受送信指示手段は、前記通信手段により、前記ファイルが複数に分割された割符を取得させると共に、前記ディレクトリ情報として、前記記憶領域中であって、各ファイルを構成する複数の割符の場所が示されている情報を取得させ、複数の該割符及び該ディレクトリ情報を該記憶領域に格納し、
前記擬似記憶装置手段は、前記コンピュータからファイルの指定を受け付けると、前記記憶領域から該ファイルを構成する複数の割符を読み出し、該複数の割符から該ファイルを復元するファイル復元手段を有している、
ことを特徴とする通信装置。
【請求項３】
請求項１及び２のいずれか一項に記載の通信装置において、
前記データ受送信指示手段は、前記通信手段により、前記ディレクトリ情報が複数に分割された分割ディレクトリ情報を取得させ、複数の該分割ディレクトリ情報を前記記憶領域に格納し、
前記擬似記憶装置手段は、前記コンピュータに前記ディレクトリ情報を提示する際には、前記記憶領域から該ディレクトリ情報を構成する複数の分割ディレクトリ情報を読み出し、該複数の分割ディレクトリ情報から該ディレクトリ情報を合成するディレクトリ情報合成手段を有している、
ことを特徴とする通信装置。
【請求項４】
請求項１から３のいずれか一項に記載の通信装置において、
前記記憶領域の少なくとも一部を成すメモリを備え、
前記データ受送信指示手段は、前記ディレクトリ情報を前記メモリに格納すると共に、１以上のファイルの少なくとも一部を該メモリに格納する、
ことを特徴とする通信装置。
【請求項５】
請求項２に記載の通信装置において、
前記記憶領域の少なくとも一部を成す揮発性メモリ及び不揮発性メモリを備え、
前記データ受送信指示手段は、前記ディレクトリ情報を前記揮発性メモリ及び/又は揮発性メモリに格納すると共に、前記ファイルを構成する複数の割符のうち、一部の割符を該揮発性メモリに格納する、
ことを特徴とする通信装置。
【請求項６】
請求項５に記載の通信装置において、
前記データ受送信指示手段は、前記ファイルを構成する複数の割符のうち、一部の割符を前記揮発性メモリに格納すると共に、残りの割符を前記不揮発性メモリに格納する、
ことを特徴とする通信装置。
【請求項７】
請求項５及び６のいずれか一項に記載の通信装置において、
前記擬似記憶装置手段は、前記コンピュータからファイルの指定を受け付けると、前記記憶領域内で該ファイルを構成する複数の割符を検索し、該複数の割符のうちで少なくとも一つの割符を見出せない場合には、前記データ受送信指示手段に働きかけて、前記通信手段により、前記記憶装置との間の通信路を確立させ、該少なくとも一つの割符を取得させる、
ことを特徴とする通信装置。
【請求項８】
請求項３に記載の通信装置において、
前記記憶領域の少なくとも一部を成す揮発性メモリ及び不揮発性メモリを備え、
前記受送信指示手段は、前記ディレクトリ情報を構成する複数の分割ディレクトリ情報のうち、一部の分割ディレクトリ情報を前記揮発性メモリに格納すると共に、残りの分割ディレクトリ情報を前記不揮発性メモリに格納する、
ことを特徴とする通信装置。
【請求項９】
請求項１に記載の通信装置において、
前記擬似記憶装置手段は、前記コンピュータからファイルを受け付けて、該ファイルを前記記憶領域に格納する仮セーブ手段を有し、
前記データ受送信指示手段は、前記仮セーブ手段が前記コンピュータからの前記ファイルを前記記憶領域に格納すると、前記通信手段により、前記記憶装置との間の通信路を確立させ、該ファイルを該記憶装置に送信させる、
ことを特徴とする通信装置。
【請求項１０】
コンピュータに接続されて、該コンピュータと外部との間のデータ通信を行う通信手段を備えている通信装置において、
揮発性メモリ及び不揮発性メモリと、
予め定められた条件を満たすと、前記通信手段により、通信先として予め定められた記憶装置との間の通信路を確立させる通信制御手段と、
前記記憶装置との間の通信路が確立されると、前記通信制御手段に指示して前記通信手段により、該記憶装置に格納されている１以上のファイルのそれぞれが複数に分割された割符を取得させ、一つのファイルを構成する複数の割符のうち、一部の割符を前記揮発性メモリに格納し、残りの割符を前記不揮発性メモリに格納する外部データ取得手段と、
前記コンピュータに接続され、該コンピュータからファイルの指定を受け付けると、前記揮発性メモリ及び前記不揮発性メモリ内で該ファイルを構成する複数の割符を検索し、該複数の割符が全て見出せた場合には、該複数の割符から該ファイルを復元し、該ファイルを該コンピュータに送る擬似記憶装置手段と、
を備えていることを特徴とする通信装置。
【請求項１１】
請求項１から１０のいずれか一項に記載の通信装置において、
音声を出力する音声出力手段と、
音声が入力される音声入力手段と、
を備えた携帯電話であって、
外部からの音声信号を前記通信手段により受信し、前記通信制御手段により該音声信号が示す音声を前記音声出力手段から出力させ、
前記通信制御手段により、前記音声入力手段に入力した音声を音声信号に変換して、前記通信手段で該音声信号を無線送信する、
ことを特徴とする通信装置。
【発明の詳細な説明】
【技術分野】
【０００１】
本発明は、サーバ等と通信して、このサーバ等に格納されているファイルを取得し、このファイルをコンピュータに渡す通信装置に関する。
【背景技術】
【０００２】
外出先からイントラネット上のファイルサーバにアクセスする場合、携帯コンピュータに携帯電話を接続し、携帯電話のモデム機能を利用して、ダイヤルアップ接続し、そして、ファイルサーバにアクセスするのが通例である。
【０００３】
以下の特許文献１では、携帯電話では取得が困難な大容量の情報を外部から取得する
方法として、上述のように、携帯電話をコンピュータに接続する方法が開示されている。
【０００４】
【特許文献１】特開2002−032286号公報
【発明の開示】
【発明が解決しようとする課題】
【０００５】
しかしながら、従来技術では、利用者は、ファイルサーバに格納されているファイルを取得するまでに、ファイルサーバの呼び出しのための操作等、各種操作を行わなければならず、利用者の負担が大きく、しかも、ファイルを取得するまでに時間がかかってしまうという問題点がある。
【０００６】
本発明は、このような従来技術の問題点に着目し、利用者の負担が軽くなり、短時間でファイルを取得することができる通信装置を提供することを目的とする。
【課題を解決するための手段】
【０００７】
前記問題点を解決するための通信装置に係る発明は、
コンピュータに接続されて、該コンピュータと外部との間のデータ通信を行う通信手段を備えている通信装置において、
予め定められた条件を満たす毎に、前記通信手段により、通信先として予め定められた記憶装置との間の通信路を確立させる通信制御手段と、
前記記憶装置との間の通信路が確立されると、前記通信制御手段に指示して前記通信手段により、該記憶装置に格納されている１以上のファイル及び該１以上のファイルに関するディレクトリ情報を取得させ、これらを記憶領域に格納するデータ受送信指示手段と、
前記コンピュータに接続されると、該コンピュータに対して自身が記憶装置である旨を通知して、自身が記憶装置であると認識させ、前記記憶領域に格納されている前記ディレクトリ情報を該コンピュータに提示し、該コンピュータから該ディレクトリ情報に含まれているファイルの指定を受け付けると、該ディレクトリ情報を参照して該ファイルが格納されている該記憶領域から該ファイルを読み出して、該ファイルを該コンピュータに送る擬似記憶装置手段と、
を備えていることを特徴とする。
【０００８】
ここで、前記通信装置において、
前記データ受送信指示手段は、前記通信手段により、前記ファイルが複数に分割された割符を取得させると共に、前記ディレクトリ情報として、前記記憶領域中であって、各ファイルを構成する複数の割符の場所が示されている情報を取得させ、複数の該割符及び該ディレクトリ情報を該記憶領域に格納し、
前記擬似記憶装置手段は、前記コンピュータからファイルの指定を受け付けると、前記記憶領域から該ファイルを構成する複数の割符を読み出し、該複数の割符から該ファイルを復元するファイル復元手段を有している、
ものであってもよい。
【０００９】
また、前記通信装置において、
前記データ受送信指示手段は、前記通信手段により、前記ディレクトリ情報が複数に分割された分割ディレクトリ情報を取得させ、複数の該分割ディレクトリ情報を前記記憶領域に格納し、
前記擬似記憶装置手段は、前記コンピュータに前記ディレクトリ情報を提示する際には、前記記憶領域から該ディレクトリ情報を構成する複数の分割ディレクトリ情報を読み出し、該複数の分割ディレクトリ情報から該ディレクトリ情報を合成するディレクトリ情報合成手段を有している、
ものであってもよい。
【発明の効果】
【００１０】
本発明では、通信装置が、予め定められた条件を満たす毎に、ファイルサーバ等の記憶装置にアクセスして、この記憶装置からファイル及びディレクトリ情報を取得し、この通信装置が接続されたコンピュータは、この通信装置を記憶装置として扱うので、記憶装置に格納されているファイルを取得したいユーザは、ファイルサーバー等の記憶装置の呼び出しのための操作等、各種操作を行う必要がなく、しかも、ファイルを取得するまでに時間を短縮化することができる。
【発明を実施するための最良の形態】
【００１１】
以下、本発明に係る通信装置の実施形態について、図面を用いて説明する。
【００１２】
本実施形態の通信装置は、図１に示すように、携帯電話１００であり、携帯電話網１や無線ＬＡＮ２を介して、インターネット３やインフラネット上に接続されているサーバ３００に接続することができる。
【００１３】
この携帯電話１００は、携帯電話網１に接続するための無線通信モジュールと、無線ＬＡＮ２に接続するための無線通信モジュールと、を備えている。各無線通信モジュールは、アンテナ１０１ａ，１０１ｂと、搬送波処理を行うＲＦ（Radio  Frequency）部１０２ａ，１０２ｂと、ベースバンド処理を行うＢＢ部１０３ａ，１０３ｂとを有している。
【００１４】
さらに、この携帯電話１００は、コンピュータ２００とＵＳＢ（Universal Serial Bus）接続するためのＵＳＢコネクタ１０４と、ブルートゥース（登録商標）通信端１０５と、ＳＩＭ（Subscriber Identity Module）カード１０７と、このＳＩＭカード１０７が装着されるＳＩＭスロット１０６と、メモリカード１０９と、このメモリカード１０９が装着されるメモリカードスロット１０８と、表示装置１１１と、キーボード１１２と、スピーカ１１３と、マイク１１４と、表示装置１１１等のインタフェース回路１１０と、各種処理を実行するＣＰＵ１２０と、揮発性ＲＡＭ１３０と、フラッシュメモリ等の不揮発性ＲＡＭ１４０と、を備えている。
【００１５】
ＳＩＭカード１０７には、当該携帯電話の契約者の情報や、サーバ３００の通信アドレス、サーバ３００との間での認証処理を行うための認証情報、さらにコンピュータ１０との間での認証処理を行うための認証情報が格納されている。なお、サーバ３００の通信アドレスや各認証情報の格納先は、ＳＩＭカード１０７である必要はなく、不揮発性ＲＡＭ１４０等であってもよい。
【００１６】
揮発性ＲＡＭ１３０には、サーバ３００から取得したファイルや、ファイルに関するディレクトリ情報が格納される。また、不揮発性ＲＡＭ１４０には、予めＯＳ、ＭＢＲ（Master Boot Record）、通信制御プログラム、エミネートプログラム等が予め記憶されている。さらに、この不揮発性ＲＡＭ１４０には、サーバ２０から取得したファイルや、ファイルに関するディレクトリ情報が格納される。
【００１７】
ＣＰＵ１２０は、機能的には、通信制御を行う通信制御部１２１と、接続機器との間の認証処理を行う認証処理部１２２と、通信制御部１２１での制御下で無線通信モジュールによりサーバ３００からファイルやディレクトリ情報を取り込ませるデータ受送信指示部１２３と、コンピュータ２００に当該携帯電話１００を記憶装置として認識させるエミネート処理部（擬似記憶装置手段）１２４と、を有している。
【００１８】
これらの機能部のうち、通信制御部１２１は、不揮発性ＲＡＭ１４０に格納されている通信制御プログラム等をＣＰＵ１２０が実行することで機能する。また、認証処理部１２２、データ受送信指示部１２３及びエミネート処理部１２４は、いずれも、不揮発性ＲＡＭ１４０に格納されているエミネートプログラム等をＣＰＵ１２０が実行することで機能する。
【００１９】
コンピュータ２００は、ＨＤＤ等の記憶装置２０１の他、図示されていない入力装置、表示装置、ＣＰＵ、各種メモリ等を備えている。さらに、このコンピュータ２００には、このコンピュータ２００と携帯電話１００との間の認証処理を行うためのプログラム及び認証情報が格納されている認証デバイス２０２が接続されている。
【００２０】
本実施形態では、以上で説明した携帯電話１００、コンピュータ２００、サーバ３００で、ファイル提供システムを構成している。
【００２１】
次に、図６及び図７を用いて、サーバ３００から送られてきたファイル及びディレクトリ情報のデータ構成、さらに、これらの格納場所について説明する。
【００２２】
ディレクトリ情報は、二つに分割され、それぞれ分割ディレクトリ情報として、サーバ３００から送られてくる。これらの分割ディレクトリ情報は、図６に示すように、一方の分割ディレクトリ情報１０ｂが揮発性ＲＡＭ１３０に格納され、他方の分割ディレクトリ情報１０ｎが不揮発性ＲＡＭ１４０に格納される。
【００２３】
また、ファイルも、二つに分割され、それぞれ割符３３ｂ，３３ｎとして、サーバ３００から送られてくる。これら割符３３ｂ，３３ｎも、一方の割符３３ｂが揮発性ＲＡＭ１３０に格納され、他方の割符３３ｎが不揮発性ＲＡＭ１４０に格納される。これら２つの割符３３ｂ，３３ｎにより、ファイル３３が復元される。
【００２４】
二つの分割ディレクトリ情報１０ｂ，１０ｎは、図７に示すように、それぞれ、復元されたファイルの格納場所をコンピュータ２００に提示するための提示用情報と、このファイルを構成する割符の格納場所を示す割符用情報とがある。
【００２５】
不揮発性ＲＡＭ１４０に格納される分割ディレクトリ情報１０ｎの提示用情報は、この分割ディレクトリ情報自体の名「♯Ｐ1ｎ」１１ｎと、この分割ディレクトリ情報自体の格納場所１２ｎｄと、二つの分割ディレクトリ情報１０ｂ，１０から合成される提示ディレクトリ情報１０の格納場所１２ｎｐと、提示ディレクトリ情報１０の合成元データ１３ｎ等を有している。また、この分割ディレクトリ情報１０ｎの割符用情報は、提示ディレクトリ情報１０が示すファイル♯３，♯４を構成する割符のうちの一方の割符の名「♯３ｎ」「♯４ｎ」１５ｎ，１７ｎと、この割符の格納場所１６ｎ，１８ｎとを有している。
【００２６】
揮発性ＲＡＭ１３０に格納される分割ディレクトリ情報１０ｂの提示用情報は、この分割ディレクトリ情報自体の名「♯Ｐ1ｂ」１１ｂと、この分割ディレクトリ情報自体の格納場所１２ｂｄと、提示ディレクトリ情報１０の合成元データ１３ｂ等を有している。また、この分割ディレクトリ情報１０ｂの割符用情報は、提示ディレクトリ情報１０が示すファイル♯３，♯４を構成する割符のうちの他方の割符の名「♯３ｂ」「♯４ｂ」１５ｂ，１７ｂと、この割符の格納場所１６ｂ，１８ｂとを有している。
【００２７】
二つの分割ディレクトリ情報１０ｎ，１０ｂのそれぞれの提示用情報により合成される提示ディレクトリ情報１０は、ここでは、ファイル♯３用情報とファイル♯４用情報とがあり、それぞれ、ファイル名、ファイルの格納場所、ファイルのデータ量、ファイルの読み書き実行者名、作成・変更日時、ファイルを構成した割符の名、この割符の保存場所（サーバ３００）、ファイルに関する公開/非公開フラグ、公開期間や削除までの期限情報等が含まれている。これらの情報は、いずれも、二つの分割ディレクトリ情報１０ｎ，１０ｂの提示用情報中の合成元データ１３ｎ，１３ｂを合成することで得られる。
【００２８】
次に、図２〜図５に示すフローチャートに従って、本実施形態のファイル提供システムの動作について説明する。
【００２９】
「同期処理」
図２に示すフローチャートに従って、携帯電話１００による同期処理について説明する。なお、ここでの同期処理とは、サーバ３００で公開対象となっている各種ファイル及びこれらのファイルのディレクトリ情報の全てに関して、携帯電話１００が保持するための処理である。
【００３０】
まず、携帯電話１００は、アイドル状態及びＵＳＢ接続待ちのとき、データ受送信指示部１２３は、同期処理時期か否かを判断する（Ｓ１０１）。ここで、アイドル状態とは、携帯電話１００及びコンピュータ２００が共に起動しており、両者が接続している状態のことである。また、ＵＳＢ接続待ちとは、携帯電話１００が起動しているものの、コンピュータ２００に接続されていない状態のことである。この同期処理時期としては、例えば、一日一回、半日に一回等、定期的な時期を定めてもよいが、携帯電話１００のキーボード１１２のうちの予め定められた幾つかのボタンが押されたときにしてもよい。
【００３１】
データ受送信指示部１２３は、同期処理時期であると判断すると、通信制御部１２１により無線通信モジュール１０１ａ，１０２ａ，１０３ａを動作させて、ＳＩＭカード１０７に格納されているサーバ３００の通信アドレスを用いて、サーバ３００との間の通信経路を確立させる（Ｓ１０２）。この際、通信制御部１２１は、ＳＩＭカード１０７に格納されているサーバ３００の通信アドレスを用いる。データ受送信指示部１２３は、続いて、各ＲＡＭ１３０，１４０に格納されているファイル、割符、分割ディレクトリ情報、提示ディレクトリ情報等を参照して、各ＲＡＭ１３０，１４０の利用状況、言い換えると、コンピュータ２００によるファイルの利用状況を示すログ情報を作成し、これをサーバ３００に通知する（Ｓ１０３）。
【００３２】
サーバ３００は、ログ情報を受信すると、サーバ３００が保持しているファイルのディレクトリ情報を更新する（Ｓ３０１）。例えば、携帯電話１００がコンピュータ２００から新たなファイルを受け取り、ログ情報にこのファイルの追加が示されている場合には、ディレクトリ情報にこのファイルの情報を追加する。また、コンピュータ２００で、あるファイルが使用された結果、このファイルの使用回数がファイル公開回数を超えた場合には、このファイルを非公開扱いにする。
【００３３】
次に、サーバ３００は、更新したディレクトリ情報を用いて、携帯電話１００に送信する分割ディレクトリ情報を作成し、この分割ディレクトリ情報を携帯電話１００へ送信する（Ｓ３０２）。続いて、新たなファイルの追加等で公開対象とするファイルが増えた場合には、当該ファイルを分割し、当該ファイルの割符を作成する（Ｓ３０３）。そして、携帯電話１００から割符送信要求を待ち、この要求を受信すると（Ｓ３０４）、この当該ファイルを構成する割符を送信して（Ｓ３０５）、処理を終了する。一方、所定時間経過しても、携帯電話１００から割符送信要求を受信できない場合には、直ちに処理を終了する。
【００３４】
一方、携帯電話１００のデータ受送信指示部１２３は、サーバ３００から分割ディレクトリ情報が送信されてくると（Ｓ３０２）、この分割ディレクトリ情報を各ＲＡＭ１３０，１４０に格納する（Ｓ１０４）。データ受送信指示部１２３は、サーバ３００から送信されてきた分割ディレクトリ情報中の分割可能場所１２ｎｄ，１２ｂｄ（図７）に示されている場所に、これらの分割ディレクトリ情報を格納する。この実施形態では、２つのディレクトリ情報１０ｎ，１０ｂ（図６、図７）のうち、必ず、一方が不揮発性ＲＡＭ１４０に格納され、他方が揮発性ＲＡＭ１３０に格納される。
【００３５】
続いて、データ受送信指示部１２３は、分割ディレクトリ情報１０ｎ，１０ｂ中に割符用情報（図７）が添付されているか否かに応じて、新たな割符があるか否かを判断する（Ｓ１０５）。割符情報が添付されていれば、新たな割符があると判断して、割符送信要求をサーバ３００へ送信する（Ｓ１０６）。これにより、サーバ３００は、前述したように、ステップ３０４，３０５の処理で、新たな割符を携帯電話１００へ送信する。データ受送信指示部１２３は、新たな割符が送信されてくると、分割ディレクトリ情報１０ｎ，１０ｂ中に割符用情報（図７）中の格納場所に示されている場所に新たな割符を格納する（Ｓ１０７）。この実施形態では、二つの割符に関しても、前述した２つのディレクトリ情報と同様、必ず、一方の割符３３ｎ，３４ｎ（図６）が不揮発性ＲＡＭ１４０に格納され、他方の割符３３ｂ，３４ｂが揮発性ＲＡＭ１３０に格納される。
【００３６】
データ受送信指示部１２３は、ステップ１０７で新たな割符を格納すると、又はステップ１０５で新たな割符はないと判断すると、通信制御部１２１により、サーバ３００との間の通信経路を断たせる（Ｓ１０８）。
【００３７】
次に、携帯電話１００のエミネート処理部１２４は、アイドル状態か否かを判断し（Ｓ１０９）、アイドル状態ではない、つまりＵＳＢ接続待ちであれば、このＵＳＢ接続待ちを維持する。一方、アイドル状態であれば、新たなディレクトリ情報があるか否か、つまりステップ１０４で、分割ディレクトリ情報が送られてきたか否かを判断し（Ｓ１１０）、分割ディレクトリ情報が送られてきていれば、不揮発性ＲＡＭ１４０に格納されている分割ディレクトリ情報１０ｎと揮発性ＲＡＭ１３０に格納されている分割ディレクトリ情報１０ｂ（図６、図７）を合成して、提示ディレクトリ情報１０を作成する（Ｓ１１２）。
【００３８】
この提示ディレクトリ情報１０は、図７を用いて前述したように、コンピュータ２００に提示できるファイル名及び当該ファイルの格納場所等を示すもので、コンピュータ２００に認識させる必要のない当該ファイルを構成する割符の格納場所は含まれていない。また、前述したように、ファイルの使用回数がファイル公開回数を超え、ファイルが非公開扱いになっている場合には、この提示ディレクトリ情報に、この非公開扱いになっているファイルの情報は含まれない。
【００３９】
エミネート処理部１２４は、次に、作成した提示ディレクトリ情報をコンピュータ２００へ送信し（Ｓ１１３）、元のアイドル状態となる。
【００４０】
一方、コンピュータ２００は、携帯電話１００から送られてきた提示ディレクトリ情報を参照し、必要に応じて、この情報の中に含まれているファイル名等を表示装置に表示する（Ｓ２０２）。
【００４１】
以上で、携帯電話１００による同期処理は終了する。
【００４２】
「接続処理」
次に、図３に示すフローチャートに従って、携帯電話１００とコンピュータ２００との接続処理について説明する。
【００４３】
携帯電話１００のユーザが、この携帯電話１００とコンピュータ２００とをＵＳＢ接続すると、コンピュータ２００は、このＵＳＢ接続を検知し（Ｓ２２１）、接続先に対してデバイスリクエストを送信する（Ｓ２２２）。携帯電話１００のエミネート処理部１２４は、通信制御部１２１を介して、このデバイスリクエストを受信すると、デバイス名“記憶装置”及び認証データ要求を送信する（Ｓ１２１）。
【００４４】
なお、昨今の携帯電話は、モデム機能を搭載しているものがあり、コンピュータにＵＳＢ接続されて、このコンピュータのモデムとして利用されることがある。このように、モデム機能を搭載している場合には、携帯電話１００をＵＳＢ接続するにあたり、ユーザに、モデムモードと記憶装置モードとのうちの一方を選択させ、記憶装置モードが選択されている場合に、前述のステップ１２１を実行するようにするとよい。
【００４５】
コンピュータ２００は、携帯電話１００からデバイス名“記憶装置”及び認証データ要求を受信すると、接続先が記憶装置であると認識し（Ｓ２３３）、当該コンピュータ２００の認証データを携帯電話１００へ送信する（Ｓ２２４）。
【００４６】
携帯電話１００の認証処理部１２１は、この認証データを受け取ると、まず、デバイス認証を行い、接続先のコンピュータ２００が予め定めたコンピュータである否かを判断する（Ｓ１２２）。続いて、ユーザ資格認証を行い、接続先のコンピュータ２００のユーザが予め定めたユーザであるか否かを判断する（Ｓ１２３）。認証処理部１２１は、このデバイス認証及びユーザ資格認証にあたり、ＳＩＭカード１０７に格納されている認証情報を用いる。認証処理部１２１が、接続先のコンピュータ２００が予め定めたコンピュータであり、且つ接続先のコンピュータ２００のユーザが予め定めたユーザであると判断した場合、エミネート処理部１２４は、揮発性ＲＡＭ１３０又は不揮発性ＲＡＭ１４０のいずれかに格納されている提示ディレクトリ情報をコンピュータ２００へ送信する（Ｓ１２９）。また、ステップ１２２で接続先のコンピュータ２００が予め定めたコンピュータではない、又はステップ１２３で接続先のコンピュータ２００のユーザが予め定めたユーザではないと判断した場合には、ファイルに関する情報がない提示ディレクトリ情報をコンピュータ２００へ送信する（Ｓ１２９）。
【００４７】
コンピュータ２００は、携帯電話１００から提示ディレクトリ情報が送信されてくると、この提示ディレクトリ情報を参照し、必要に応じて、この情報の中に含まれているファイル名等を表示装置に表示する（Ｓ２２９）。
【００４８】
以上で、接続処理が終了する。
【００４９】
なお、以上の説明では、コンピュータ２００による携帯電話１００の認証処理について説明していないが、コンピュータ側でも、デバイス認証及びユーザ資格認証を行うようにしてもよい。この場合、いずれかに関して認証できない場合には、コンピュータ２００の表示装置に、認証処理結果を表示するとよい。
【００５０】
「ファイル読込処理」
次に、図４に示すフローチャートに従って、コンピュータ２００によるファイル読込処理について説明する。
【００５１】
コンピュータ２００の表示装置に１以上のファイル名等が表示されている状態で、表示されている１以上のファイル名のうち、ユーザがいずれかの一つのファイル「♯３」を指定し、コンピュータ２００がこれを受け付けると（Ｓ２３１）、携帯電話１００に対して当該ファイル「♯３」の送信を要求する（Ｓ２３２）
携帯電話１００の認証処理部１２２が、このファイル要求を受信すると、コンピュータ２００に対してデバイス認証データを要求する（Ｓ１３０）。コンピュータ２００は、このデバイス認証要求を受信すると、デバイス認証データを携帯電話１００に送信する（Ｓ２３３）。携帯電話１００の認証処理部１２１は、この認証データを受け取ると、改めてデバイス認証を行い、接続先のコンピュータ２００が予め定めたコンピュータである否かを判断する（Ｓ１３１）。コンピュータ２００が予め定めたコンピュータではないと判断すると、ＵＳＢ接続待ち状態に移行する。なお、ここでのＵＳＢ接続待ち状態は、コンピュータ２００と携帯電話１００とが接続している状態であるため、擬似的なＵＳＢ接続待ちとなり、この携帯電話１００からファイルをコンピュータ２００へ転送しようとする場合には、図３で説明した接続処理を行わなければならない。また、ここでは、コンピュータ２００に成りすました不正なコンピュータ等を排除する目的で、デバイス認証を行っているが、例えば、前述の接続処理以降、コンピュータ２００と携帯電話１００とが接続され続けている場合などの条件に従って、この認証処理を省略しても構わない。
【００５２】
認証処理部１２１が、接続先のコンピュータ２００が予め定めたコンピュータであると判断した場合、エミネート処理部１２４は、分割ディレクトリ情報１０ｂ，１０ｎ（図６、図７）を参照して、コンピュータ２００が要求したファイル「♯３」を構成する割符「♯３ｂ」「♯３ｎ」を検索し（Ｓ１３２）。割符「♯３ｂ」「♯３ｎ」の有無を判断する。割符「♯３ｂ」「♯３ｎ」がある場合には、こられの割符「♯３ｂ」「♯３ｎ」を用いて、ファイル「♯３」を復元し（Ｓ１３８）、このファイル「♯３」をコンピュータ２００へ送信する（Ｓ１３９）。一方、ステップ１３３で、ファイル「♯３」を構成する割符「♯３ｂ」「♯３ｎ」のいずれかがないと判断した場合には、データ受送信指示部１２３は、通信制御部１２１により無線通信モジュールを動作させて、サーバ３００との間の通信経路を確立させて（Ｓ１３４）、サーバ３００に対して割符を要求する（Ｓ１３５）。
【００５３】
コンピュータ２００が要求するファイルは、携帯電話１００が提示したディレクトリ情報に含まれているファイルであるから、基本的に、携帯電話１００に保存されているはずである。しかしながら、本実施形態では、ファイルを構成する２つの割符のうち、一方を揮発性ＲＡＭ１３０に格納しているため、携帯電話１００の電源が切れると、この割符が消えてしまう。このため、ここでは、割符の有無を判断し、割符がない場合には、サーバ３００に割符を要求するようにしている。
【００５４】
サーバ３００は、携帯電話１００からの割符要求を受け付けると、前述のステップ３０２（図２）で作成した分割ディレクトリ情報、及びこの分割ディレクトリ情報が示す全ファイルの割符を携帯電話１００へ送信する（３３１）。携帯電話の通信制御部１２１がこの分割ディレクトリ情報及び割符を受け取ると、データ受送信指示部１２３が、この分割ディレクトリ情報及び割符をＲＡＭ１３０，１４０に格納し（Ｓ１３６）、通信制御部１２１により、サーバ３００との間の通信経路を断たせる（Ｓ１３７）。そして、エミネート処理部１２４は、前述したファイル復元（Ｓ１３８）、ファイル送信（Ｓ１３９）を実行する。
【００５５】
コンピュータ２００は、携帯電話１００から要求ファイルを受け取ると、これをメモリ等に格納して、このファイルを展開する（Ｓ２３４）。その後、このファイルの閲覧処理、更新処理等を経た後、携帯電話１００の離脱を検知すると、処理を終了する。
【００５６】
以上で、ファイル読込処理が終了する。
【００５７】
「ファイルセーブ処理」
次に、図５に示すフローチャートに従って、コンピュータ２００で作成されたファイルのセーブ処理について説明する。
【００５８】
コンピュータ２００は、記憶装置として認識している携帯電話１００への特定のファイルに関するセーブを受け付けると、携帯電話１００に対してファイルセーブを依頼する（Ｓ２４１）。携帯電話１００の認証処理部１２２が、この依頼を受信すると、コンピュータ２００に対してデバイス認証データを要求する（Ｓ１４１）。コンピュータ２００は、このデバイス認証要求を受信すると、デバイス認証データを携帯電話１００に送信する（Ｓ２４２）。携帯電話１００の認証処理部１２１は、この認証データを受け取ると、改めてデバイス認証を行い、接続先のコンピュータ２００が予め定めたコンピュータである否かを判断する（Ｓ１４２）。コンピュータ２００が予め定めたコンピュータではないと判断すると、前述のファイル読込処理と同様に、擬似的なＵＳＢ接続待ち状態に移行する。なお、ここでも、コンピュータ２００に成りすました不正なコンピュータ等を排除する目的で、デバイス認証を行っているが、前述同様、コンピュータ２００と携帯電話１００とが接続され続けている場合などの条件に従って、この認証処理を省略しても構わない。
【００５９】
認証処理部１２１が、接続先のコンピュータ２００が予め定めたコンピュータであると判断した場合、その旨をコンピュータ２００に返す。そして、コンピュータ２００は、ステップ２４１で受け付けたファイルを携帯電話１００に転送する（Ｓ２４３）。エミネート処理部１２４は、このファイルを受け取ると、図６に示すように、既存のファイルの更新又は新規ファイル３５の保存処理を行うと共に、このファイルに関する情報をログ情報に追加する（Ｓ１４３）。なお、ここでは、新規ファイル３５は、揮発性ＲＡＭ１３０に保存される。
【００６０】
続いて、携帯電話１００のデータ受送信指示部１２３は、通信制御部１２１により無線通信モジュールを動作させて、サーバ３００との間の通信経路を確立させて（Ｓ１４４）、更新ファイル又は新規ファイルをサーバ３００へ送信させる（Ｓ１４５）。
【００６１】
サーバ３００は、この送信を受けて、ウィルス、マクロファイル等の実行スクリプト、著作権等の検疫を行い、この検疫に合格すると、送信されてきたファイルをサーブする（Ｓ３４１）。サーバ３００は、続いて、セーブしたファイルに基づいて、ディレクトリ情報を更新すると共に、分割ディレクトリ情報を作成し、これを携帯電話１００へ送信する（Ｓ３４２）。
【００６２】
データ受送信支持部１２３は、分割ディレクトリ情報を受け取ると、これを各ＲＡＭ１３０，１４０に格納する（Ｓ１４６）。携帯電話１００のエミネート処理部１２４は、次に、各ＲＡＭ１３０，１４０に格納された分割ディレクトリ情報を合成して、提示ディレクトリ情報を作成し（Ｓ１４７）、これをコンピュータ２００へ送る（Ｓ１４８）。
【００６３】
コンピュータ２００は、記憶装置として認識している携帯電話１００にファイルを送ると（Ｓ２４３）、当該ファイルが正常に書き込めたか否かを確かめるために、ディレクトリ情報を読み出そうとする。そこで、携帯電話１００のエミネート処理部１２４は、提示ディレクトリ情報を作成する迄（Ｓ１４７）、コンピュータ２００に対してビジー信号を送り続ける。コンピュータ２００のＯＳは、このビジー信号を受け取ると、ファイルセーブが遅延していると判断して、ファイルセーブを指示したアプリケーションに対してセーブ完了を伝える。なお、携帯電話１００のエミネート処理部１２４は、提示ディレクトリ情報を作成する迄（Ｓ１４７）、コンピュータ２００に対してビジー信号を送り続けなくても、ファイルの更新又は保存処理を行って、このファイルに関する情報をログ情報に追加した時点で（Ｓ１４３）、提示ディレクトリ情報を更新して、これをコンピュータに送るようにしてもよい。
【００６４】
コンピュータ２００は、携帯電話１００から提示ディレクトリ情報を受け取ると、これを参照し、必要に応じて、この情報を表示する（Ｓ２４４）。そして、何らかの処理を実行した後、又は直ちに、携帯電話１００の離脱を検知すると（Ｓ２４５）、処理を終了する。
【００６５】
サーバ３００は、前述したように、分割ディレクトリ情報を作成し、これを携帯電話１００へ送信した後（Ｓ３４２）、新たなファイルを分割し、当該ファイルの割符を作成する（Ｓ３４３）。そして、携帯電話１００から割符送信要求を待ち、この要求を受信すると（Ｓ３４４）、この当該ファイルを構成する割符を送信して（Ｓ３４５）、処理を終了する。一方、所定時間経過しても、携帯電話１００から割符送信要求を受信できない場合には、直ちに処理を終了する。
【００６６】
携帯電話１００のエミネート処理部１２４が、前述したように、提示ディレクトリ情報をコンピュータ２００へ送信すると、この携帯電話１００のデータ受送信指示部１２３は、サーバ３００から送信されてきた分割ディレクトリ情報１０ｎ，１０ｂ中に割符用情報（図７）が添付されているか否かに応じて、新たな割符があるか否かを判断する（Ｓ１４９）。割符情報が添付されていれば、新たな割符があると判断して、割符送信要求をサーバ３００へ送信する（Ｓ１５０）。これにより、サーバ３００は、前述したように、ステップ３４４，３４５の処理で、新たな割符を携帯電話１００へ送信する。データ受送信指示部１２３は、新たな割符が送信されてくると、分割ディレクトリ情報１０ｎ，１０ｂ中に割符用情報（図７）中の格納場所に示されている場所に新たな割符を格納する（Ｓ１５１）。そして、データ受送信指示部１２３は、ステップ１５１で新たな割符を格納すると、又はステップ１４９で新たな割符はないと判断すると、通信制御部１２１により、サーバ３００との間の通信経路を断たせ（Ｓ１５２）、元のアイドル状態となる。
【００６７】
以上で、ファイルセーブ処理は終了する。
【００６８】
以上のように、本実施形態では、携帯電話１００が定期的にサーバ３００にアクセスして、このサーバ３００からファイル及びディレクトリ情報を取得し、コンピュータ２００は、この携帯電話１００を記憶装置として扱っているので、サーバ３００に格納されているファイルを取得したいユーザは、サーバの呼び出しのための操作等、各種操作を行う必要がなく、しかも、ファイルを取得するまでに時間を短縮化することができる。
【００６９】
また、本実施形態では、携帯電話１００がサーバ３００からファイル等を取得するときのみ、携帯電話１００とサーバ３００との間の通信回線を確立しているので、具体的には、図２中で携帯電話１００がサーバ３００から割符を受け取った後（Ｓ１０７）、直ちに、通信回線を切断しているので、携帯電話１００とサーバ３００との間の通信費用を抑えることができる。
【００７０】
さらに、本実施形態では、サーバ３００から携帯電話１００へ送られてくるデータは、割符、分割ディレクトリ情報の形態をとっており、これら単独では、基本的に意味をなさないので、通信時の機密を保つことができる。また、本実施形態では、対を成す割符の一方、同じく対を成す分割ディレクトリ情報の一方が揮発性ＲＡＭ１３０に格納されるため、仮に、携帯電話３００が紛失しても、携帯電話３００の電源が切られると、揮発性ＲＡＭ１３０に格納されていた一方の割符や一方の分割ディレクトリ情報が消えるので、この点でも機密性を保つことができる。
【００７１】
ところで、以上の実施形態では、割符や分割ディレクトリ情報を携帯電話１００のメモリ１３０，１４０に格納しているが、割符等を格納する領域は、携帯電話１００のメモリ１３０，１４０のみならず、携帯電話１００に接続されるメモリカード１０９やコンピュータ３００であってもよい。以下、メモリカード１０９やコンピュータ３００に、割符等が格納される例について、それぞれ、変形例１、変形例２として説明する。
【００７２】
「変形例１」
例えば、揮発性ＲＡＭ１３０、不揮発性ＲＡＭ１４０に、図６に示すようなデータが格納されており、携帯電話１００がＵＳＢ接続待ちのときに、図８に示すように、割符「♯6ｎ」３６ｎが格納されているメモリカード１０９が、メモリカードスロット１０８（図１）に装着されたとする。
【００７３】
この場合、図２の同期処理フローにおいて、携帯電話１００は、ログ送信情報中に、メモリカード１０９に割符「♯6ｎ」３６ｎが格納されている旨の情報を含めて、ログ情報をサーバ３００へ送る（Ｓ１０３）。これに対して、サーバ３００は、割符「♯6ｎ」のディレクトリ情報を含む分割ディレクトリ情報、及びこの割符「♯6ｎ」の片割れである割符「♯6ｂ」のディレクトリ情報を含む分割ディレクトリ情報を作成して、これを携帯電話１００へ送る（Ｓ３０１，Ｓ３０２）。この結果、図８に示すように、携帯電話１００の揮発性ＲＡＭ１３０には、分割ディレクトリ情報「♯2ｂ」12ｂが格納され、不揮発性ＲＡＭ１４０には、分割ディレクトリ情報「♯2ｎ」12ｎが格納される（Ｓ１０４）。携帯電話１００は、この分割ディレクトリ情報１２ｂ，１２ｎを受け取ると、これらこの分割ディレクトリ情報１２ｂ，１２ｎ中に割符用情報が添付されているか否かに応じて、新たな割符があるか否かを判断する（Ｓ１０５）。この場合、分割ディレクトリ情報１２ｂには、割符「♯6ｂ」の割符情報が添付されているので、新たな割符があると判断して、サーバ３００に対して割符送信を要求し（Ｓ１０６）。割符「♯6ｂ」を受け取り、図８に示すように、これを揮発性ＲＡＭ１３０に格納する（Ｓ１０７）。
【００７４】
サーバ３００から受け取った分割ディレクトリ情報１２ｂ，１２ｎは、その後、合成されて、提示ディレクトリ情報「♯２」１２（図８）となり、コンピュータ２００へ送信される。
【００７５】
以上のように、この変形例１では、一対の割符「♯６ｂ」「♯６ｎ」を分割保持することになるため、より機密性を高めることができる。
【００７６】
なお、メモリカード１０９が抜き取られた場合には、携帯電話１００の揮発性ＲＡＭ１３０に格納されている分割ディレクトリ情報「♯２ｂ」１２ｂ、提示ディレクトリ情報「♯２」１２、割符「♯６ｂ」３６ｂは、消去されるようにして、より機密性を高めるようにしてもよい。
【００７７】
また、メモリカード１０９に、割符「♯6ｎ」３６ｎを格納する方法としては、例えば、ユーザがサーバ３００から直接取得し、これをメモリカード１０９に格納する方法がある。また、図２の同期処理フローにおいて、ログ情報送信時（Ｓ１０３）、ログ情報と共に、割符の格納領域として、メモリカード１０９がある旨をサーバ３００へ伝え、サーバ３００は、これを受け取ってから、分割ディレクトリ情報を作成する際、この分割ディレクトリ情報中の割符情報として、割符の格納領域としてメモリカード１０９を指定する方法もある。
【００７８】
「変形例２」
例えば、図9に示すように、コンピュータ２００の記憶装置２０１に、分割ディレクトリ情報「♯３ｂ」１３ｂ、割符「♯８ｂ」３８ｂ、割符「♯９ｂ」３９ｂが格納され、携帯電話１００の不揮発性ＲＡＭ１４０に、分割ディレクトリ情報「♯３ｎ」１３ｎ、割符「♯８ｎ」３８ｎ、割符「♯９ｎ」３９ｎが格納されているとする。
【００７９】
この場合、図３の接続処理フローにおいて、接続されたコンピュータ２００のユーザ資格認証を承認した後（Ｓ１２３）、コンピュータ２００に自身の記憶装置２０１に割符や分割ディレクトリ情報が格納されているか否かを検索させる（Ｓ１２４）。コンピュータ２００は、この検索要求を受けて、記憶装置２０１に割符等があるか否かの検索を実行し（Ｓ２２５）、この検索結果を携帯電話１００に通知する（Ｓ２２６）。携帯電話１００は、この通知を受けると、記憶装置２０１に分割ディレクトリ情報が格納されているか否かを判断し（Ｓ１２５）、分割ディレクトリ情報が格納されていれば、この送信を要求する（Ｓ１２６）。コンピュータ２００は、この要求を受け取ると（Ｓ２２７）、記憶装置２０１に格納されている分割ディレクトリ情報「♯３ｂ」１３ｂを携帯電話１００に送信する（Ｓ２２８）。携帯電話１００は、コンピュータ２００から受け取った分割ディレクトリ情報「♯３ｂ」１３ｂを揮発性ＲＡＭ１３０に格納し（Ｓ１２７）、この分割ディレクトリ情報「♯３ｂ」１３ｂと自身が保持している分割ディレクトリ情報「♯３ｎ」１３ｎとを合成し、提示ディレクトリ情報「♯３」１３ｂを作成して（Ｓ１２８）、これをコンピュータ２００へ送る（Ｓ１２９）。
【００８０】
携帯電話１００は、提示ディレクトリ情報「♯３」を受け取ったコンピュータ２００から、この提示ディレクトリ情報「♯３」に含まれているファイル「♯8」の送信要求があった場合、図４のファイル読込処理において、このファイル「♯8」に関する割符を検索する（Ｓ１３２）。このとき、対を成す割符のうち、一方の割符「♯８ｎ」３８ｎ（図９）が不揮発性ＲＡＭ１４０に格納され、他方の割符「♯８ｂ」３８ｂがコンピュータ２００の記憶装置２０１に格納されていることが判明すると、この他方の割符「♯８ｂ」３８ｂをコンピュータ２００から読み出した後、二つの割符「♯８ｂ」３８ｂ，「♯８ｎ」３８ｎからファイル「♯８」３８を復元し（Ｓ１３８）、このファイル「♯８」をコンピュータ２００へ送る（Ｓ１３９）。
【００８１】
仮に、ファイル「♯８」が、ファイル「♯９」を起動する自動実行スクリプトファイルで、ファイル「♯９」がアプリケーションプログラムである場合、コンピュータ２００がファイル「♯８」を実行すると、ファイル「♯9」を起動させようとして、記憶装置として認識している携帯電話１００にこのファイル「♯9」を要求する（Ｓ２３２）。以下は、上述と同様に、携帯電話１００は、コンピュータ２００からファイル「♯9」の割符「♯９ｂ」３９ｂを得る一方で、不揮発性ＲＡＭ１４０から割符「♯９ｎ」３９ｎを得て、これらによりファイル「♯９」３９を復元して（Ｓ１３８）、このファイル「♯９」をコンピュータ２００へ送る（Ｓ１３９）。
【００８２】
以上のように、この変形例２でも、一対の割符「♯８ｂ」「♯８ｎ」等を分割保持することになるため、より機密性を高めることができる。また、コンピュータ２００の記憶装置２０１は、基本的に、携帯電話１００のメモリよりも大容量であるため、サイズが大きなファイルを扱う際には有効である。
【００８３】
なお、コンピュータ２００の記憶装置２０１に、割符「♯８ｂ」３８ｂや分割ディレクトリ情報「♯３ｂ」１３ｂ等を格納する方法としては、変形例１の場合と同様、図２の同期処理フローにおいて、ログ情報送信時（Ｓ１０３）、ログ情報と共に、割符等の格納領域として、コンピュータ２００の記憶装置２０１がある旨をサーバ３００へ伝える方法がある。サーバ３００は、これを受け取ってから、分割ディレクトリ情報を作成する際、この分割ディレクトリ情報中の自身の格納場所、及びこの分割ディレクトリ情報中の割符の格納領域としてコンピュータ２００の記憶装置２０１を指定する。この割符等の格納領域として、コンピュータ２００の記憶装置２０１を指定する条件としては、例えば、予め定めた値よりサイズの大きな割符であることや、携帯電話１００からのログ情報から、携帯電話１００のメモリ中に割符が収まらない可能性があること等が考えられる。
【００８４】
サーバ３００からの分割ディレクトリ情報及び割符は、いずれも、一端、携帯電話１００のメモリに格納される。そして、図２の同期処理フローにおいて、携帯電話１００が新たなディレクトリ情報の有無を判断した後（Ｓ１１０）、この新たなディレクトリ情報に基づいて、コンピュータ２００にセーブすべき割符等があることが判明すると、この割符等をコンピュータ２００へ送信する（Ｓ１１１）。コンピュータ２００は、この割符等を受け取ると、これを記憶装置２０１に格納する。
【００８５】
なお、以上の実施形態及び各変形例１，２では、いずれも、ファイルやディレクトリ情報を分割した状態で扱うようにしているが、これはあくまでもデータの機密性を高めるためであるから、他の方法で機密性を確保できる場合や、データの機密性があまり重視されない場合には、ファイルやディレクトリ情報を分割する必要はない。
【００８６】
また、ここでは、通信装置の一例として、携帯電話を示したが、本発明はこれに限定されるものではなく、例えば、無線ＬＡＮカード等、外部と通信でき且つコンピュータと接続可能なものであれば、如何なる通信装置にも適用できる。
【図面の簡単な説明】
【００８７】
【図１】本発明に係る一実施形態におけるファイル提供システムの構成図である。
【図２】本発明に係る一実施形態におけるファイル提供システムの同期処理を示すフローチャートである。
【図３】本発明に係る一実施形態におけるファイル提供システムの接続処理を示すフローチャートである。
【図４】本発明に係る一実施形態におけるファイル提供システムのファイル読込処理を示すフローチャートである。
【図５】本発明に係る一実施形態におけるファイル提供システムのファイルセーブ処理を示すフローチャートである。
【図６】本発明に係る一実施形態における携帯電話の各メモリ内のデータ構成を示す説明図である。
【図７】本発明に係る一実施形態における各ディレクトリ情報のデータ構成を示す説明図である。
【図８】本発明に係る一実施形態の変形例１における携帯電話の各メモリ及びメモリカード内のデータ構成を示す説明図である。
【図９】本発明に係る一実施形態の変形例２における携帯電話の各メモリ及びコンピュータの記憶装置内のデータ構成を示す説明図である。
【符号の説明】
【００８８】
１：携帯電話網、２：無線ＬＡＮ、３：インターネット、１００：携帯電話、１０１ａ，１０１ｂ：アンテナ、１０２ａ，１０２ｂ：ＲＦ部、１０３ａ，１０３ｂ：ＢＢ部、１０４：ＵＳＢコネクタ、１０７：ＳＩＭカード、１０９：メモリカード、１２０：ＣＰＵ、１２１：通信制御部、１２２：認証処理部、１２３：データ送受信指示部、１２４：エミネート処理部、１３０：揮発性メモリ、１４０：不揮発性メモリ、２００：コンピュータ、２０１：記憶装置、２０２：認証デバイス、３００：サーバ
【図１】
2009128980.tif 000003
【図２】
2009128980.tif 000004
【図３】
2009128980.tif 000005
【図４】
2009128980.tif 000006
【図５】
2009128980.tif 000007
【図６】
2009128980.tif 000008
【図７】
2009128980.tif 000009
【図８】
2009128980.tif 000010
【図９】
2009128980.tif 000011